(57)【要約】      （修正有）【課題】引き戸を使用した後、改めて耐震防災ストッパーを設置する操作は必要とせず、地震の際は、振動波がどのような波長であっても、引き戸が不用意に開くのを確実に防止することができる引き戸用耐震ストッパーを提供する。【解決手段】弾性を有する板材にて固定板１を形成し、固定板１の板面を一端部がわから切り起こして弾性止め片２を形成する。弾性止め片２の先端部が閉じた引き戸Ｐのスライド開口がわ端面Ｐ１に係止するように配置し、引き戸Ｐの裏側に重なる他の引き戸Ｑ若しくは壁面などの他の部材に固定板１を固定する。固定板１を鋼材にて形成し、固定板１の裏面に接着剤を設ける。【選択図】図１
0003168810.tif 000002
【実用新案登録請求の範囲】
【請求項１】
地震の際に、引き戸がスライド方向に移動するのを防止する引き戸用耐震防災ストッパーであって、弾性を有する板材にて固定板を形成すると共に、該固定板の板面を一端部がわから切り起こして弾性止め片を形成し、該弾性止め片の先端部が閉めた引き戸のスライド開口がわ端面に係止するように配置し、引き戸の裏側に重なる他の部材に固定板を固定することを特徴とする引き戸用耐震防災ストッパー。
【請求項２】
前記固定板は鋼材にて形成され、前記引き戸の裏側に重なる他の引き戸若しくは壁面などの前記他の部材に接着せしめる接着剤を固定板の裏面に設けた請求項１記載の引き戸用耐震防災ストッパー。
【請求項３】
前記固定板は平面長方形状を成し、該固定板の長手端部の中央部位から長手方向に沿った長方形状の前記弾性止め片を形成し、該弾性止め片の先端部に、該先端部を折り曲げて形成した当接片を備え、弾性止め片の基端部は、該固定板の長手中央部に形成された請求項１又は２記載の引き戸用耐震防災ストッパー。
【考案の詳細な説明】
【技術分野】
【０００１】
本考案は、地震によって引き戸が揺れた場合でも、この引き戸が不用意に開くのを確実に防止することができる引き戸用耐震防災ストッパーに関する。
【背景技術】
【０００２】
従来、地震の揺れによってドアや引き戸等が不用意に開かないようにするストッパーが各種提案されている。特許文献１に記載の仮止め具は、弾性材で形成された芯材と、芯材の外周を被覆するゴム材で形成された表面材とで構成された三角形状のストッパーが提案されている。このストッパーによると、食器戸棚の引き出しや引き戸等のあらゆるタイプの開閉部材に対して、その隙間に挿入係止するだけで確実に仮止拘束できるというものである。
【０００３】
また、引き戸の外れ止め兼振れ止め具が特許文献２に記載されている。この外れ止め兼振れ止め具は、引き戸の上端面に取り付けられる基板を形成し、この基板から上方に突出して弾性を有する外れ止め片を設けると共に、基板の側方に突出して弾性を有する振れ止め片を設けたものである。そして、引き戸を取付枠に建て込むと、外れ止め片は、取付枠の鴨居溝の上面に当接して引き戸が外れるのを防止し、振れ止め片は、鴨居溝の内側面に当接して引き戸が振れるのを防止するというものである。
【先行技術文献】
【特許文献】
【０００４】
【特許文献１】実用新案登録第３１５２７５０号公報
【特許文献２】実開平５−６１３７８号公報
【考案の概要】
【考案が解決しようとする課題】
【０００５】
特許文献１に記載の仮止め具は、食器戸棚の引き出しや引き戸等のあらゆるタイプの開閉部材に対して、その隙間に挿入係止することで、地震の際に不測の開閉を阻止するものである。そのため、引き戸等を使用した後は、この仮止め具を隙間に挿入する操作が必要になる。したがって、特許文献１の仮止め具では、隙間に差し込む操作を忘れてしまうと、地震が発生した場合に全く効果を得られないという不都合があった。
【０００６】
一方、特許文献２に記載の外れ止め兼振れ止め具では、外れ止め片が取付枠の鴨居溝の上面に当接して引き戸が外れるのを防止し、振れ止め片は、鴨居溝の内側面に当接して引き戸が振れるのを防止することはできるとしても、これら外れ止め片や振れ止め片が、引き戸本来のスライド移動を規制することになる。そのため、引き戸の開閉が常に渋くなることが想定され、立て付けが悪い引き戸と同じ状況になるおそれがある。しかも、地震の振動波は、Ｐ波やＳ波、長周波など、様々な波長で伝わって来る。そのため、この波長によっては、外れ止め片や振れ止め片を形成した弾性材が振動しながら引き戸が移動する可能性もあるので、確実なストッパーとしての機能を有するものではなかった。
【０００７】
そこで本考案は、上述の課題を解消すべく案出されたもので、引き戸を使用した後、改めてストッパーを設置する操作は必要とせず、しかも、通常時は、開き戸本来のスライド移動を規制することなくスムーズに使用することができ、地震の際は、振動波がどのような波長であっても、引き戸が不用意に開くのを確実に防止することができる引き戸用耐震防災ストッパーの提供を目的とするものである。
【課題を解決するための手段】
【０００８】
上述の目的を達成すべく本考案の第１の手段は、地震の際に、引き戸がスライド方向に移動するのを防止する引き戸用耐震防災ストッパーであって、弾性を有する板材にて固定板１を形成すると共に、該固定板１の板面を一端部がわから切り起こして弾性止め片２を形成し、該弾性止め片２の先端部が閉めた引き戸Ｐのスライド開口がわ端面Ｐ１に係止するように配置し、引き戸Ｐの裏側に重なる他の部材に固定板１を固定することにある。
【０００９】
第２の手段において、前記固定板１は鋼材にて形成され、前記引き戸Ｐの裏側に重なる他の引き戸Ｑ若しくは壁面などの前記他の部材に接着せしめる接着剤を裏面に設けたものである。
【００１０】
第３の手段において、前記固定板１は平面長方形状を成し、該固定板１の長手端部の中央部位から長手方向に沿った長方形状の前記弾性止め片２を形成し、該弾性止め片２の先端部に、該先端部を折り曲げて形成した当接片３を備え、弾性止め片２の基端部は、該固定板１の長手中央部に形成されたことにある。
【考案の効果】
【００１１】
本考案の請求項１に記載のごとく、弾性止め片２の先端部が引き戸Ｐのスライド開口がわ端面Ｐ１に係止するように配置し、引き戸Ｐの裏側に重なる他の部材に固定板１を固定したことにより、引き戸Ｐを閉めると、弾性止め片２の弾性力にて弾性止め片２の先端が引き戸Ｐのスライド開口がわ端面Ｐ１に自動的に係止するので、特許文献１の仮止め具のように、引き戸を使用した後、改めて耐震防災ストッパーを設置するといった操作は必要なくなった。
【００１２】
しかも、通常時は、引き戸Ｐを開ける際に、弾性止め片２を押し込むだけで引き戸Ｐを開けることができる。このとき、引き戸Ｐの裏側に弾性止め片２が入り込むだけなので、開き戸本来のスライド移動を規制することなくスムーズに使用することができる。
【００１３】
また、請求項２のように、固定板１および弾性止め片２は鋼材にて形成され、前記引き戸Ｐの裏側に重なる他の引き戸Ｑ若しくは壁面などの前記他の部材に接着せしめる接着剤４を裏面に設けたものであるから、鋼材の強い弾性力を有する弾性止め片２が引き戸Ｐを係止するので、地震の際は、振動波がどのような波長であっても、引き戸が不用意に開くのを確実に防止することができる。しかも、固定板１の裏に設けた接着剤４によって、鋼製の固定板１を、引き戸Ｐの裏側に重なる他の引き戸Ｑ若しくは壁面に確実に固定することができる。
【００１４】
更に、請求項３のごとく、固定板１は平面長方形状を成し、該固定板１の長手端部の中央部位から長手方向に沿った長方形状の前記弾性止め片２を形成し、該弾性止め片２の先端部に、該先端部を折り曲げて形成した当接片３を備え、弾性止め片２の基端部は、該固定板１の長手中央部に形成したことにより、固定板１に対する弾性止め片２の強度を最大限に高めることができる。この結果、地震の際は、振動波がどのような波長であっても、引き戸が不用意に開くのを確実に防止することができるものである。
【図面の簡単な説明】
【００１５】
【図１】本考案の使用状態を示す正面図である。
【図２】本考案の一実施例を示す斜視図である。
【図３】本考案の弾性止め片が係止する状態を示す平断面図である。
【図４】本考案の弾性止め片を解除する状態を示す平断面図である。
【考案を実施するための形態】
【００１６】
本考案によると、引き戸を使用した後、改めて耐震防災ストッパーを設置する操作は必要とせず、しかも、通常時は、開き戸本来のスライド移動を規制することなくスムーズに使用することができ、地震の際は、振動波がどのような波長であっても、引き戸が不用意に開くのを確実に防止することができる引き戸用耐震ストッパーを提供することに成功したものである。
【実施例】
【００１７】
以下、本考案を図示例に基づいて説明する。本考案の基本構成は、固定板１、弾性止め片２、接着剤４にて構成されている（図２参照）。そして、地震の際に、引き戸がスライド方向に移動するのを防止するものである（図３参照）。
【００１８】
固定板１は、弾性を有する板材にて形成され、引き戸Ｐの裏側に重なる他の引き戸Ｑ若しくは壁面に固定せしめる部材である（図２参照）。図示例では、鋼材にて形成した平面長方形状を成している。
【００１９】
弾性止め片２は、固定板１の板面を一端部がわから切り起こして形成した部材である。したがって、固定板１と弾性止め片２は一体に形成されている。図示の弾性止め片２は、鋼製固定板１の長手端部の中央部位から長手方向に沿った長方形状に形成している（図２参照）。
【００２０】
更に、この弾性止め片２の先端部に当接片３を設けている。この当接片３は、弾性止め片２の先端部を折り曲げて形成したもので、弾性止め片２が薄い材質の場合に、弾性止め片２の係止強度を高めると共に、スライドがわ端面Ｐ１に食い込むのを防止するものである（図３参照）。したがって、図示のように折り曲げて形成するほか、弾性止め片２の厚みによっては、先端をＬ字状に屈曲し手当接片３を形成することもできる。
【００２１】
また、弾性止め片２の基端部は、該固定板１の長手中央部に形成されている（図２参照）。このように弾性止め片２を形成することで、固定板１や弾性止め片２を形成する鋼板の強靭な弾性力や強度を最大限に発揮するものになる。
【００２２】
固定板１は、接着剤４や固定ネジ（図示せず）で引き戸Ｐの裏側に重なる他の引き戸Ｑや、引き戸Ｐの裏側に重なる壁面などに固定する。図示例では、固定板１の裏面に接着剤４を設けてある。そして、弾性止め片２の先端部が引き戸Ｐのスライド開口がわ端面Ｐ１に係止するようにして、固定板１を接着する（図１参照）。固定板１を接着する部材は、引き戸Ｐの裏側に重なる他の引き戸Ｑや、引き戸Ｐの裏側に重なる壁面などである。また、固定ネジを使用する場合は、固定ネジ孔５に挿通して固定板１を固定する（図２参照）。更に、この固定板１を固定する位置は、図示のごとく、引き戸Ｐの上部に配置するほか、中央位置や下部など、利用者が使い勝手の良い位置を選択して設置することができる。
【００２３】
すなわち、引き戸Ｐには、例えば片方に引く片引戸や、両方に引き分ける両引戸、あるいは壁体に引き込む引込戸、更に、２本の溝やレールにより重ね合う動きが出る引き違い戸など、各種の引き戸Ｐが存在する。そこで、固定板１を固定する部材もこの引き戸Ｐの種類に応じて固定するものである。
【００２４】
引き戸Ｐを閉じたときに、弾性止め片２がスライド開口がわ端面Ｐ１に係止するように設けているので、いちいち耐震防災ストッパーをセットする必要はない（図３参照）。一方、この弾性止め片２を外して引き戸Ｐをひらく場合は、弾性止め片２を軽く押し込みながら引き戸Ｐを開くだけでよいものである（図４参照）。
【００２５】
尚、本考案の固定板１及び弾性止め片２や当接片３、あるいは接着剤４の構成は図示例に限られるものではなく、本考案の要旨を変更しない範囲で自由に設計変更することができる。また、弾性止め片２の材質として鋼材以外の弾性材を利用することも可能である。
【産業上の利用可能性】
【００２６】
本考案において耐震防災ストッパーとして説明しているが、この他、子供らのいたずらによる開閉を防止するストッパーなどとしても利用することが可能である。
【符号の説明】
【００２７】
Ｐ  引き戸
Ｐ１  スライド開口がわ端面
Ｑ  他の引き戸
１  固定板
２  弾性止め片
３  当接片
４  接着剤
５  固定ネジ孔
【図１】
0003168810.tif 000003
【図２】
0003168810.tif 000004
【図３】
0003168810.tif 000005
【図４】
0003168810.tif 000006